(57)【要約】【課題】本発明は、照明装置に関するもので、照明カバー２が照明カバー取り付け面５と密着して取り付けることができ、照明の光が漏れる恐れが少なく、照明装置内に虫の侵入するおそれも少ない照明装置を提供することをその課題としたものである。【解決手段】器具本体１の照明カバー取り付け面５に凹段部７を形成し、該凹段部７下縁より照明カバー取り付け面５上に突出する変形防止突出片８を形成し、照明カバー２の上縁内面を変形防止突出片８に係止し、照明カバー２を器具本体１に取り付けてなるものであり、照明カバー２を照明カバー取り付け面５に密着して取り付けることができ、変形防止突出片８の上面をその根元である基部に向かって昇り傾斜面とした場合は照明カバー２を器具本体１にゆるみなく取り付けることができるものである。【選択図】図２
2008235138.tif 000002
【特許請求の範囲】
【請求項１】
器具本体に照明カバーを係合爪により着脱自在に取り付けてなる照明装置において、器具本体の照明カバー取り付け面に凹段部を形成し、該凹段部下縁より照明カバー取り付け面上に突出する変形防止突出片を形成し、照明カバーの上縁内面を変形防止突出片に係止し、照明カバーを器具本体に取り付けてなる照明装置。
【請求項２】
変形防止突出片の上面をその根元である基部に向かって昇り傾斜面としてなる請求項１記載の照明装置。
【発明の詳細な説明】
【技術分野】
【０００１】
本発明は、器具本体に照明カバーを係合爪により着脱自在に取り付けてなる照明装置に関するもので、詳しく述べれば、照明カバーが時間の経過により変形し、器具本体から脱落するのを防止する変形防止突出片によって照明カバーの取り付けが不適切になり、光が漏れたり、虫が侵入したりすることを防止した照明装置に関するものである。
【背景技術】
【０００２】
従来から、特許文献１に示される照明装置は知られている。この特許文献１に示される照明装置は、器具本体に照明カバーを係合爪により着脱自在に取り付けてなる照明装置であり、照明カバーの取り付け時にガイドをなし、かつ照明カバーの反りを防止し得るガイド板が突設されている。このガイド板は器具本体の照明カバー取り付け面に形成されるのであるがガイド板基部は照明カバー取り付け面に通常はＲ面が形成される。このＲ面は合成樹脂成形品の場合、強度の面、成形の容易性より一般的に行われるものである。
【０００３】
又、金属加工の場合においても金属板を直角に折り曲げ加工するときはＲ面を形成して加工が行われる。ガイド板に沿って照明カバーが係合したとき照明カバーの先端縁は上記Ｒ面に当接し、照明カバー取り付け面と密着して取り付けられないものである。このために、照明カバーと照明カバー取り付け面との間から光が漏れる恐れがあり、虫が照明装置内に侵入する恐れがあった。
【特許文献１】実開平３―４３２１０号公報（実用新案登録請求の範囲、図１）
【発明の開示】
【発明が解決しようとする課題】
【０００４】
本発明は、照明装置に関するもので、照明カバー先端が照明カバー取り付け面と密着して取り付けることができ、照明の光が漏れる恐れが少なく、照明装置内に虫の侵入するおそれも少ない照明装置を提供することをその課題としたものである。
【課題を解決するための手段】
【０００５】
上記課題を解決するために、本発明の請求項１にかかる照明装置においては、器具本体に照明カバーを係合爪により着脱自在に取り付けてなる照明装置において、器具本体の照明カバー取り付け面に凹段部を形成し、該凹段部下縁より照明カバー取り付け面上に突出する変形防止突出片を形成し、照明カバーの上縁内面を変形防止突出片に係止し、照明カバーを器具本体に取り付けてなるものであり、請求項２にかかる照明装置においては、変形防止突出片の上面を奥部に向かって昇り傾斜面としてなるものである。
【発明の効果】
【０００６】
請求項１に記載の照明装置は、器具本体の照明カバー取り付け面に凹段部を形成し、該凹段部下縁より照明カバー取り付け面上に突出する変形防止突出片を形成しているために、変形防止突出片基部は器具本体の照明カバー取り付け面上になく凹段部底面に存在し、照明カバーを照明カバー取り付け面に取り付けた場合に変形防止突出片基部に接触する恐れがなく、照明カバー先端は照明カバー取り付け面に密着して取り付けることができるものである。このために、照明の光が漏れたり、虫が侵入したりする恐れが少ないものとなる。
【０００７】
請求項２に記載の照明装置は、請求項１に記載の照明装置の効果に加え、変形防止突出片の上面を奥部に向かって昇り傾斜面としてなるために、照明カバーが照明カバー取り付け面にゆるみなく取り付けることができ、照明カバーの時間の経過による変形を防止することができるものである。
【発明を実施するための最良の形態】
【０００８】
以下、本発明の照明装置の実施形態について図面を参照して詳細に説明する。図１は本発明の実施例である照明装置の一部断面図斜視図、図２は器具本体の一部断面図斜視図、図３は器具本体の要部拡大図、図４は照明カバーの斜視図である。
【０００９】
図１、図２において、１は器具本体、２は照明カバーである。器具本体１は収納部３に照明灯４を収納している。５は照明カバー取り付け面である。照明カバー取り付け面５には複数の係合孔６が形成されており、係合孔６間に凹段部７が形成されている。凹段部７底面には変形防止突出片８が形成されている。凹段部７底面に形成された変形防止突出片８は照明カバー取り付け面５より先端が突出している。
【００１０】
係合孔６は図４に示す照明カバー２の係合爪９が係止するもので、凹段部７の両側に形成され、照明カバー２を照明カバー取り付け面５に取り付けるものである。係合爪９は照明カバー２と一体に合成樹脂で形成されるのが望ましいものである。係合爪９が照明カバー２と一体に合成樹脂で形成されると合成樹脂の弾性により、係合爪９の係合孔６への係止が的確に行われる。合成樹脂は例えば、ポリスチロール、アクリル樹脂等従来から使用されているものが使用できる。
【００１１】
器具本体１に照明カバー２を取り付けるには、照明カバー取り付け面５の係合孔６に照明カバー２の係合爪９を嵌合係止することにより行われる。図１は器具本体１に照明カバー２を取り付けた状態を示している。この時、照明カバー２の上縁内面１０を変形防止突出片８の上面に係止している。変形防止突出片８の上面が基部に向かって昇り斜面である場合、照明カバー２の上縁内面１０は強制的に上方に引き上げられ、ゆるみなく照明カバー取り付け面５に取り付けられる。
【００１２】
変形防止突出片８はその根元である基部が凹段部７底面にあり照明カバー取り付け面５に無いために照明カバー２の先端は変形防止突出片８の基部に接触することなく照明カバー取り付け面５に密着して取り付けられるものである。凹段部７の部分では照明カバー２の先端は照明カバー取り付け面５に密着していないが照明カバー２の上縁内面１０を変形防止突出片８の上面に係止しているために隙間の生じる恐れが少なく、照明の光が漏れる恐れは少なく、虫の侵入する恐れも少ないものである。
【００１３】
この照明装置は一般的照明装置としても適したものであるが、洗面化粧台やミラーキャビネットに使用すると簡便な構造であるために特に適している。
【図面の簡単な説明】
【００１４】
【図１】本発明にかかる照明装置の実施例の一部断面図斜視図。
【図２】本発明にかかる照明装置の器具本体の一部断面図斜視図。
【図３】図２に示す器具本体の要部拡大図。
【図４】図１に示す照明装置の照明カバーの斜視図。
【符号の説明】
【００１５】
１        器具本体
２        照明カバー
３        収納部
４        照明灯
５        照明カバー取り付け面
６        係合孔
７        凹段部
８        変形防止突出片
９        係合爪
１０      上縁内面
【図１】
2008235138.tif 000003
【図２】
2008235138.tif 000004
【図３】
2008235138.tif 000005
【図４】
2008235138.tif 000006